(57)【特許請求の範囲】
【請求項１】
少くとも汚水を凝集する凝集用タンクと、汚水を濾過する濾過用タンクとから成る汚水処理装置であって、
上記濾過用タンクの上部に凝集用タンクを積み重ね自在に構成し、凝集用タンクの底部には着脱自在な開閉栓を設けると共に、上記濾過用タンクの内部にケージを格納自在と成し、且つ、このケージの内部には上部の入口を開いた状態で袋状のフイルタを収納自在と成し、該濾過用タンクの外側には濾過水用の排水コックを設けたことを特徴とする汚水処理装置。
【請求項２】
濾過用タンクの上部に凝集用タンクを積み重ねるに当って、その積み重ね部分に、上面部に上記凝集用タンクの底縁部を嵌込むことができる底縁嵌合部を設け、底面部には上記濾過用タンクの上縁部を嵌込むことができる上縁嵌合部を設けて成るリング体を介在するように構成したことを特徴とする請求項１に記載の汚水処理装置。
【請求項３】
濾過用タンクと凝集用タンクの双方をプラスチック材を用いて上面を開口した容器体形状に構成すると共に、各タンクの夫々に吊下げ用の取っ手を設けたことを特徴とする請求項１又は２に記載の汚水処理装置。
【請求項４】
袋状フイルタを内装したケージを、濾過用タンクの内部に格納するステップと、
この濾過用タンクの上部に凝集用タンクを積み重ねるステップと、
凝集用タンクの中にアルカリ性廃水を注入するステップと、
この凝集用タンク内の廃水に対して、凝集剤を廃水が中和状態に成るまで投入し、且つ、攪拌するステップと、
この凝集剤の投入と攪拌によって凝集用タンク内に生成されたフロックを、底部に設けた開閉栓を開いて濾過用タンク内の袋状フイルタの中に落し込むステップと、
袋状フイルタの中に落し込まれたフロックを濾過するステップと、
該フイルタによって濾過された濾過水を排水コックを開いて濾過用タンクの外に取出すステップと、
濾過用タンク内の袋状フイルタ内に溜ったスラッジを、保管用タンクに移し替えるステップとを含むことを特徴とする汚水処理方法。
【請求項５】
濾過用タンクの上部に凝集用タンクを積み重ねる際に、上面部に凝集用タンクの底縁部を嵌込む底縁嵌合部を設け、底面部には濾過用タンクの上縁部を嵌込む上縁嵌合部を設けたリング体を、両タンクの間に介在して積み重ねるステップが含まれていることを特徴とする請求項４に記載の汚水処理方法。
【発明の詳細な説明】
【０００１】
【発明の属する技術分野】
本発明は汚水を処理する装置とその方法に関するものであって、具体的には、ワックスが塗布された床面等を洗浄剥離する際に生ずる含油廃水や、その他のアルカリ性廃水を処理する装置と方法に関するものである。
【０００２】
【従来の技術】
含油廃水を処理する装置及び方法に関しては、従来より、例えば特開昭６０−１２９１７８号公報に見られる回分式廃水処理装置や、或は、特開昭４８−９４２５６号公報、特開昭６０−８７８１２号公報、及び、特開昭６３−２５６１０６号公報等に見られるように、エマルジョン化した油水を硫酸アルミニウム（硫酸バンド）等の如き各種処理剤を用いて処理する方法が存在する。
【０００３】
【発明が解決しようとする課題】
しかし、上記の各公報に記載された装置や方法を実現するには、いずれも大掛かりな設備を用いる必要があり、また、最も簡単な設備で実現可能な前記特開昭６０−１２９１７８号公報に開示されている回分式廃水処理装置であっても、幾本もの配管や水中ポンプ、或は、攪拌用の駆動手段（モータ）が構成部材に含まれているため、これ等をいちいち出先の清掃現場に持ち運んで組立てて使用するには、過大な手間と費用が必要と成り、実用性に欠ける問題があった。
【０００４】
従って本発明の技術的課題は、含油廃水等の処理を、清掃現場に手軽に持ち運んで簡単に用いることができ、且つ、構成が簡単で安いコストにて使用可能にした汚水処理装置と、汚水処理方法を提供することである。
【０００５】
【課題を解決するための手段】
（１）  上記の技術的課題を解決するために、本発明に係る汚水処理装置は、前記請求項１に記載の如く、少くとも汚水を凝集する凝集用タンクと、汚水を濾過する濾過用タンクとから成る汚水処理装置であって、上記濾過用タンクの上部に凝集用タンクを積み重ね自在に構成し、凝集用タンクの底部には着脱自在な開閉栓を設けると共に、上記濾過用タンクの内部にケージを格納自在と成し、且つ、このケージの内部には上部の入口を開いた状態で袋状のフイルタを収納自在と成し、該濾過用タンクの外側には濾過水用の排水コックを設けるように構成している。
【０００６】
（２）  同じく請求項２に記載の如く、濾過用タンクの上部に凝集用タンクを積み重ねるに当って、その積み重ね部分に、上面部に上記凝集用タンクの底縁部を嵌込むことができる底縁嵌合部を設け、底面部には上記濾過用タンクの上縁部を嵌込むことができる上縁嵌合部を設けて成るリング体を介在するように構成している。
【０００７】
（３）  同じく請求項３に記載の如く、濾過用タンクと凝集用タンクの双方をプラスチック材を用いて上面を開口した容器体形状に構成すると共に、各タンクの夫々に吊下げ用の取っ手を設けるように構成している。
【０００８】
（４）   更に本発明に係る汚水処理方法は、請求項４に記載の如く、袋状フイルタを内装したケージを、濾過用タンクの内部に格納するステップと、この濾過用タンクの上部に凝集用タンクを積み重ねるステップと、凝集用タンクの中にアルカリ性廃水を注入するステップと、この凝集用タンク内の廃水に対して、凝集剤を廃水が中和状態に成るまで投入し、且つ、攪拌するステップと、この凝集剤の投入と攪拌によって凝集用タンク内に生成されたフロックを、底部に設けた開閉栓を開いて濾過用タンク内の袋状フイルタの中に落し込むステップと、濾過用タンク内の袋状フイルタの中に落し込まれたフロックを濾過するステップと、該フイルタによって濾過された濾過水を排水コックを開いて濾過用タンクの外に取出すステップと、濾過用タンク内の袋状フイルタ内に溜ったスラッジを、保管用タンクに移し替えるステップとを含むように構成している。
【０００９】
（５）  同じく請求項５に記載の如く、濾過用タンクの上部に凝集用タンクを積み重ねる際に、上面部に凝集用タンクの底縁部を嵌込む底縁嵌合部を設け、底面部には濾過用タンクの上縁部を嵌込む上縁嵌合部を設けたリング体を、両タンクの間に介在して積み重ねるステップが、上記請求項４の構成に含まれるように構成されている。
【００１０】
前記（１）と（４）で述べた請求項１及び４に係る各手段によれば、ポンプやモータ等の動力を用いることなく、簡単な構造の二つのタンクを積み重ねることにより、汚水（廃水）の凝集と濾過をバッチ作業にて進めることができる。
即ち、凝集用タンクでは汚水に例えば硫酸バンドの如き凝集剤を加えて攪拌することにより、フロックを形成した後、この凝集用タンクの底部に設けた開閉栓を引き抜いて開けることで、フロックを下側に位置する濾過用タンクの袋状フイルタの内部に落し込んで、これを濾過する。
次いで、濾過された水を排水コックを開いて濾過用タンクから排水すると共に、袋状フイルタの中に残されたスラッジ（固形分）を袋毎取出して一時保管した後、そのまま焼却処分等を行うことができる。また、上記排水した濾過水は、再び洗浄液として再使用することを可能にする。更に上記の袋状フイルタはケージの中に収容されているため、濾過用タンクへの挿入と取出しの各作業を、ケージに収容した状態のまま簡単に、且つ、安全に進めることを可能にする。
【００１１】
前記（２）と（５）で述べた請求項２及び４に係る各手段によれば、上下に積み重ねる二つのタンクの積み重ね部分に、リング体を介在させることにより、二つのタンクを安定した状態で積み重ねることができると共に、処理後に濾過用タンクの内部からスラッジが入った袋状フイルタを取出す時には、上側の凝集用タンクとリング体を取外すことにより、袋状フイルタをケージに収容した状態のまま濾過用タンクの外に簡単に取出すことを可能にする。
【００１２】
前記（３）で述べた請求項３に係る手段によれば、二つのタンクをプラスチック材（耐酸性、耐アルカリ性、耐薬品性を備えたものを使用する）で容器体形状に造るため、大量生産を可能にしてコストの低減を図ることができると共に、各タンクには吊下げ用の取っ手が設けられているため、二つのタンクの積み重ね作業やその取外し作業、或は、清掃作業等を、この取っ手を利用して簡単に行うことを可能にする。
【００１３】
【発明の実施の形態】
以下に本発明に係る汚水処理挿入と汚水処理方法の実施の形態を図面と共に説明すると、図１は汚水を処理する実施状態にセットされた本発明の全体を示した一部断面正面図であって、図中、符号１で全体的に示したのは凝集用タンク、同じく符号１０で全体的に示したのは濾過用タンクであって、いずれも耐酸性、耐アルカリ性及び耐薬品性を備えた合成樹脂材料を用いて、上面を開口した容量が２０Ｌ程度の容器体形状に送られている。２と１１は各タンク１，１０に取付けた吊下げ用の取っ手である。
【００１４】
図２は上記の凝集用タンク１を拡大して示した一部断面正面図であって、この図２と前記図１に於いて、１Ａはタンクの底板、１Ｂはこの底板１Ａに設けた排水口、１Ｔはタンクの底縁部（下端縁）、３はこの排水口１Ｂを実質的に開閉する開閉栓を示す。３Ａは上記の排水口１Ｂに嵌込むことができ、且つ、内部に上記の開閉栓３を嵌込み自在に構成した断面略円筒形状を成す排水口金具で、その上縁には抜け止め用のフランジが形成され、また下端部外周面には締付用のネジが形成されている。４は上記排水口１Ｂに嵌込んだ排水口金具３Ａのフランジと、上記底板１Ａの間に介在されるパッキン、５は上記排水口１Ｂに嵌込んだ排水口金具３Ａの下端部外周に嵌め付けて締め付ける締付用ナット、３Ｘは開閉栓３の取付紐で、排水口金具３Ａに嵌込んで排水口１Ｂを塞いだ開閉栓３は、この取付紐３Ｘを引っ張って排水口金具３Ａより引き抜くことにより、容易に排水口１Ｂを開放できる仕組に成っている。
【００１５】
尚、図１と図５に於いて、６は上記凝集用タンク１に付属する攪拌棒（攪拌具）で、７はこの攪拌棒６の下端に取付けた攪拌板を示す。
【００１６】
図３は上記の濾過用タンク１０を拡大して示した一部断面図であって、この図３と前記図１に於いて、１０Ａは底板、１０Ｘは開口されたタンクの上縁部（上端縁）、１０Ｒはタンクの下部側面に開口した排出口、１２はこの排出口１０Ｒに取付けた排水コック１２Ａを備えた蛇口（バルブ）で、この濾過用タンク１０の内部には、図１並びに図４に於いて夫々符号２０で全体的に示したケージが収容自在に構成されている。
【００１７】
上記のケージ２０は、図１並びに図４に示すように、全体を略籠形状に形成したフレーム２０Ｙ…と、このフレーム２０Ｙ…に取付けた金網２０Ｈとによって略容器形状に構成されていて、その内部には、フイルタ紙を用いて全体を袋状に形成し、且つ、上部に入口２３Ａを開口した袋状フイルタ２３が収納自在に構成されている。
【００１８】
更に図中、２２…はケージ２０の底部にフレームを屈曲して形成した脚杆、２１は同じくフレームを屈曲して形成した吊下げ用の取っ手であって、ケージ２０は上記濾過用タンク１０の内部に挿入した時に、上記底部に設けた脚杆２２…によって、濾過用タンク１０の底板１０Ａとの間に濾過水を流通させるための間隔１０′（図１参照）をあけるように構成されており、また、上記排水コック１２Ａを備えた蛇口１２は、この間隔１０′の外側に相当する濾過用タンク１０の外壁面部分に設けられる仕組に成っている。
【００１９】
図１並びに図３に於いて、符号１３にて全体的に示したのは、上記の凝集用タンク１を濾過用タンク１０の上に積み重ねる時に、その積み重ね部分の間に介在せしめるリング体であって、これ等各タンク１，１０と同じ合成樹脂材料を用いて全体を中央に孔１３Ｈを開口したリング状に形成したこのリング体１３には、図示したようにその上面部に上記凝集用タンク１の底縁部１Ｔを嵌合して支持することができる底縁嵌合部１３Ｙを設け、またその底面部には、上記濾過用タンク１０の上縁部１０Ｘをパッキン１４を介して嵌合して支持することができる上縁嵌合部１３Ｘが設けられていて、濾過用タンク１０に対する凝集用タンク１の積み重ねを簡単に行うことができると共に、その積み重ね状態を安定した状態に維持できる仕組に成っている。
【００２０】
尚、図１に於いて３０は上下に積み重ねた二つのタンク１，１０を濾過水の排水処理に適した所定の高さに支持する台、３１は排水コック１２Ａを開くことによって濾過用タンク１０より排出される濾過水を受け入れる回収用タンク、３２はスラッジが入った袋状フイルタ２３を一時保管する保管用タンクで、３２Ｈはその上蓋を示す。
【００２１】
上記の回収用タンク３１と保管用タンク３２は、いずれも前記凝集用と濾過用の各タンク１，１０と同じ合成樹脂材料を用いて同じサイズに形成され、且つ、いずれのタンク３１，３２にも吊下げ用の取っ手３１Ｘ，３２Ｘが設けられている。
要するに本発明で用いる計４個のタンク１，１０，３１，３２は、例えば既存のプラスチック製容器をそのまま使用可能とするものであって、わざわざ特別なタンク（容器）を造る必要が無く、大幅なコストダウンを図ることができる。
尚、図１に於いて３２Ａは保管用タンク３２の底板、３３はタンク内部に敷いたスノコ状の台を示す。
【００２２】
図６は、上述した本発明に係る汚水処理装置を用いて汚水（廃水）を処理する手順を説明したフローチヤートであって、先ず最初のステップＳ１では、濾過用タンク１０内に袋状フイルタ２３をセットしたケージ２０を収納し、次のステップＳ２では、この濾過用タンク１０を台３０の上に乗せ、更に、タンク１０の上部にリング体１３を介して開閉栓３で排水口１Ｂを塞いだ凝集用タンク１を積み重ねる。
【００２３】
次いで、ステップＳ３で上記凝集用タンク１にアルカリ性廃水（汚水）を注入する。この注入に際しては、容量が２０Ｌの凝集用タンク１に対して、約１５Ｌ（１回の処理量）を目安に注入する。その後ステップＳ４に進んで、例えば２Ｌの水に５００ｇの硫酸アンモニウム（硫酸バンド）を溶かして造った凝集液（凝集剤）を、上記凝集用タンク１内のアルカリ性廃水に投入し、次のステップＳ５で攪拌棒６を用いて約１〜２分間攪拌して、凝集を確認する。
【００２４】
凝集が確認されたら、次のステップＳ６に進んで開閉栓３を引き抜いて（開いて）、フロックを下側の濾過用タンク１０の袋状フイルタ２３の中に落し込んで濾過するが、このフロックの落し込みが全て終了したら、開閉栓３を再び閉じて凝集用タンク１を濾過用タンク１０から取外す。その後、ステップＳ７で排水コック１２Ａを用いて濾過水を回収用タンク３１に取り出し、次いで、袋状フイルタ２３内に残ったスラッジを、スノコ状の台３３を敷いた保管用タンク３２に移し替えて処理を終えるが、スラッジは袋状フイルタ２３に入れたまま移し替えて、そのまま産業廃棄物として処理する方が手間が掛らない。
【００２５】
尚、上記図６に示したフローチヤートでは、凝集用タンク１を濾過用タンク１０の上に積み重ねた後に、凝集用タンク１に対するアルカリ性廃水の注入と、凝集剤の投入及び攪拌を行うようにしているが、これは実施の一例であって、例えば凝集用タンク１を積み重ねずに床面等の上で上記廃水の注入と凝集剤の投入及び攪拌を行い、凝集が確認できたら始めてこの凝集用タンク１を濾過用タンク１０の上に積み重ねて開閉栓３を開き、フロックを下側の濾過用タンク１０内の袋状フイルタ２３に落し込むようにしてもよく、また、台３０の上に濾過用タンク１０に乗せる手順も、上記フロックの落し込みが済んで凝集用タンク１の取外しが済んだ後に行うようにしてもよく、これら手順の選択はいずれも任意とする。
【００２６】
尚、上記濾過水（処理水）を回収用タンク３１に回収（脱水）する時間の目安、即ち濾過時間（脱水時間）は、脱水総量が約１２Ｌの場合、始めの１０分間で６Ｌ前後（総量の１／２）、３０分間で８Ｌ前後（総量の２／３）、６０分で１０Ｌ前後（総量の４／５）であって、３０分脱水したら排水コック１２Ａを閉じて、袋状フイルタ２３内に溜ったスラッジをそのまま保管用タンク３２に移し替える。また、凝集に掛る時間は、上記構成の本発明では約５分間である。
【００２７】
上述した様に濾過を終える迄には少し時間が掛るが、これは約３０分経過後にスラッジが入った袋状フイルタ２３を、そのままスノコ台３３を敷いた保管用タンク３２に移し替えることによって、処理時間を実質的に短くすることができる。
【００２８】
即ち、この様なバッチ作業を行う場合に、特に濾過に掛る時間を短くすることが重要であるが、本発明では濾過用タンク１０による濾過を行った後、総量の約２／３の濾過水の回収が済んだら、これを保管用タンク３２に移し替えてしまうため、濾過時間を実質的に短縮して、次の処理作業に移ることができる。
【００２９】
また、処理業者等が作業を終えて会社等へ戻る移動中でも、トラック等に積み込んだ保管用タンク３２の中で、濾過（脱水）の続きを行うことができるため、清掃現場での作業時間（処理時間）を極力短縮することができる。
【００３０】
【発明の効果】
以上述べた次第で、本発明に係る汚水処理装置と汚水処理方法によれば、ポンプやモータといった動力や、配管類が一切不要で、凝集用と濾過用の二つのタンクを用いるだけで、アルカリ性廃水等の汚水を処理することができるため、清掃現場に簡単に持ち込んで、その場で手間を掛けずに汚水を処理できる利点を備えるものであって、全体の構成が頗る簡単で処理コストの軽減化を図るできる点と相俟って、例えば、ワックスが塗布された床面等を洗浄剥離する際に生じる含油廃水を、その清掃現場で処理する場合等に用いて、洵に好適なものである。
【図面の簡単な説明】
【図１】本発明に係る汚水処理装置の全体の構成を説明した一部断面正面図である。
【図２】本発明で用いる凝集用タンクの構成を説明した一部断面正面図である。
【図３】本発明で用いる濾過用タンクとリング体の構成を説明した一部断面正面図である。
【図４】本発明で使用するケージと袋状フイルタの構成を説明した正面図である。
【図５】本発明で使用する攪拌棒の構成を説明した正面図である。
【図６】本発明による汚水の処理手順を説明したフローチヤートである。
【符号の説明】
１              凝集用タンク
１Ａ            底板
１Ｔ            底縁部
２              取っ手
３              開閉栓
１０            濾過用タンク
１０Ｘ          上縁部
１１            取っ手
１２            蛇口（バルブ）
１２Ａ          排水コック
１３            リング体
１３Ｙ          底縁嵌合部
１３Ｘ          上縁嵌合部
２０            ケージ
２３            袋状フイルタ
２３Ａ          上部の入口
【図１】
0004014416.tif 000002
【図２】
0004014416.tif 000003
【図３】
0004014416.tif 000004
【図４】
0004014416.tif 000005
【図５】
0004014416.tif 000006
【図６】
0004014416.tif 000007